(57)【要約】【課題】プロファイルを確認すること。【解決手段】１つの態様において、電子機器は、表示部と、他の機器に無線接続する接続部と、前記接続部による無線接続を制御する制御部とを有し、前記制御部は、従属的に無線接続された前記他の機器を一意に識別するための識別情報、及び前記他の機器に従属して無線接続されたときに利用されたプロファイルを前記表示部に表示させる。例えば、電子機器は、メニュー画面４０ａにおいて、登録機器一覧を表示させる操作を検出すると、登録機器一覧を表示部に表示させる。登録機器一覧には、他の電子機器（例えば、携帯電話２０Ｂ）との接続関係に基づくデータが表示される。他の電子機器との接続関係に基づくデータには、無線接続中の他の電子機器との間で共通するプロファイルの情報（ＨＳＰ，ＨＦＰ）が含まれる。【選択図】図１６
2014086975.tif 000002
【特許請求の範囲】
【請求項１】
表示部と、
他の機器に無線接続する接続部と、
前記接続部による無線接続を制御する制御部と
を有し、
前記制御部は、従属的に無線接続された前記他の機器を一意に識別するための識別情報、及び前記他の機器に従属して無線接続されたときに利用されたプロファイルを前記表示部に表示させる電子機器。
【請求項２】
前記制御部は、前記他の機器を従属させて接続する第１モード、または前記他の機器に従属して接続する第２モードで、前記接続部を前記他の機器に無線接続させる請求項１に記載の電子機器。
【請求項３】
前記制御部は、前記他の機器に従属して接続する際に利用される複数のプロファイルに対応している請求項２に記載の電子機器。
【請求項４】
表示部と、他の機器に無線接続するための接続部を有する電子機器を制御する制御方法であって、
他の機器に従属して無線接続するステップと、
前記他の機器との無線接続を切断するステップと、
従属的に無線接続された前記他の機器を一意に識別するための識別情報、及び前記他の機器に従属的に無線接続されたときに利用されたプロファイルを前記表示部に表示させるステップと
を含む制御方法。
【請求項５】
表示部と、他の機器に無線接続するための接続部を有する電子機器に、
他の機器に従属して無線接続するステップと、
前記他の機器との無線接続を切断するステップと、
従属的に無線接続された前記他の機器を一意に識別するための識別情報、及び前記他の機器に従属的に無線接続されたときに利用されたプロファイルを前記表示部に表示させるステップと
を実行させる制御プログラム。
【発明の詳細な説明】
【技術分野】
【０００１】
本出願は、電子機器、制御方法、及び制御プログラムに関する。
【背景技術】
【０００２】
携帯電話、スマートフォン及びタブレットなどの電子機器には、無線接続された他の電子機器との間で、データ通信を実現するための機能を有するものがある。例えば、この機能を有する携帯電話は、近距離無線の機能を備えるヘッドセットとのペアリング処理を実行することにより、ヘッドセットを用いて、近距離無線によるワイヤレスなデータ通信が可能となる。ペアリング処理をした後、データ通信を行う電子機器は、例えば、特許文献１に記載されている。
【先行技術文献】
【特許文献】
【０００３】
【特許文献１】特開２００３−１３４２２４号公報
【発明の概要】
【発明が解決しようとする課題】
【０００４】
例えば、電子機器間の接続に利用されるＢｌｕｅｔｏｏｔｈ（登録商標）には、電子機器の特性に応じて実装されるプロファイルが多数存在する。
【０００５】
本発明は、上記に鑑みてなされたものであって、プロファイルを確認することができる電子機器、制御方法及び制御プログラムを提供することを目的とする。
【課題を解決するための手段】
【０００６】
１つの態様に係る電子機器は、表示部と、他の機器に無線接続する接続部と、前記接続部による無線接続を制御する制御部とを有し、前記制御部は、従属的に無線接続された前記他の機器を一意に識別するための識別情報、及び前記他の機器に従属して無線接続されたときに利用されたプロファイルを前記表示部に表示させる。
【０００７】
１つの態様に係る制御方法は、表示部と、他の機器に無線接続するための接続部を有する電子機器を制御する制御方法であって、他の機器に従属して無線接続するステップと、前記他の機器との無線接続を切断するステップと、従属的に無線接続された前記他の機器を一意に識別するための識別情報、及び前記他の機器に従属的に無線接続されたときに利用されたプロファイルを前記表示部に表示させるステップとを含む。
【０００８】
１つの態様に係る制御プログラムは、表示部と、他の機器に無線接続するための接続部を有する電子機器に、他の機器に従属して無線接続するステップと、前記他の機器との無線接続を切断するステップと、従属的に無線接続された前記他の機器を一意に識別するための識別情報、及び前記他の機器に従属的に無線接続されたときに利用されたプロファイルを前記表示部に表示させるステップとを実行させる。
【図面の簡単な説明】
【０００９】
【図１】図１は、着信の通知の例を示す図である。
【図２】図２は、モードの切り替え例を示す図である。
【図３】図３は、モードの切り替え例を示す図である。
【図４】図４は、モード切替後の着信の通知の例を示す図である。
【図５】図５は、実施形態１に係る携帯電話の機能的な構成の例を示すブロック図である。
【図６】図６は、実施形態１に係る接続関連データの例を示す図である。
【図７】図７は、実施形態１に係る携帯電話により実行されるモード切替手順の例を示すフローチャートである。
【図８】図８は、図２及び図３に示すモードの切り替えが行われた後に、２つの携帯電話が相互に接続される手順の例を示す図である。
【図９】図９は、他の携帯電話からアドレス帳データを取得する手順の例を示す図である。
【図１０】図１０は、モード切り替えが、通信部が動作しているときに実行された場合の制御の例を示す図である。
【図１１】図１１は、モード切り替えが、通信部に他の電子機器が接続しているときに実行された場合の制御の例を示す図である。
【図１２】図１２は、Ｂｌｕｅｔｏｏｔｈ（登録商標）の機能がＯＮであるときの切替手順の例を示すフローチャートである。
【図１３】図１３は、Ｂｌｕｅｔｏｏｔｈ（登録商標）の機能により、通信部に他の電子機器が無線接続しているときの切替手順の例を示すフローチャートである。
【図１４】図１４は、実施形態３に係る接続関連データの例を示す図である。
【図１５】図１５は、実施形態３に係る接続関連データの例を示す図である。
【図１６】図１６は、親機モードであるときに登録機器一覧を表示する制御の例を示す図である。
【図１７】図１７は、子機モードであるときに登録機器一覧を表示する制御の例を示す図である。
【図１８】図１８は、その他の実施形態に係る着信の通知の例を示す図である。
【図１９】図１９は、その他の実施形態に係る着信の通知の例を示す図である。
【図２０】図２０は、その他の実施形態に係る着信の通知の例を示す図である。
【図２１】図２１は、その他の実施形態に係る携帯電話の機能的な構成の例を示すブロック図である。
【図２２】図２２は、その他の実施形態に係る携帯電話における他の電子機器との接続に関する情報の例を示す図である。
【図２３】図２３は、その他の実施形態に係る携帯電話における他の電子機器との接続に関する情報の例を示す図である。
【図２４】図２４は、その他の実施形態に係る携帯電話における他の電子機器との接続に関する情報の例を示す図である。
【発明を実施するための形態】
【００１０】
本出願に係る電子機器、制御方法、及び制御プログラムを実施するための実施形態を、図面を参照しつつ詳細に説明する。以下では、電子機器の一例として、携帯電話を取り上げて説明する。
【００１１】
（実施形態１）
図１〜図４を参照しながら、実施形態１に係る携帯電話による各種制御方法について説明する。図１は、着信の通知の例を示す図である。図１に示す携帯電話２０Ａ、２０Ｂ及び３０は、通信部６ａを有する。携帯電話２０Ａ及び２０Ｂは、通信部６ｂをさらに有する。
【００１２】
通信部６ａは、公衆回線ネットワーク９０を通じて通話を行うことができるように構成されている。図１に示す場面において、携帯電話２０Ａ及び２０Ｂの通信部６ａは、基地局９１ｂとの無線通信を介して、公衆回線（キャリア回線）ネットワーク９０に接続されている。図１に示す場面において、携帯電話３０の通信部６ａは、基地局９１ａとの無線通信を介して、公衆回線ネットワーク９０に接続されている。
【００１３】
通信部６ｂは、Ｂｌｕｅｔｏｏｔｈ（登録商標）等の近距離無線通信を通じて通話を行うことができるように構成されている。図１に示す場面において、携帯電話２０Ａ及び２０Ｂの通信部６ｂは、相互に通信可能な状態で無線接続されている。図１に示す例では、携帯電話２０Ａは、他の電子機器を従属させて接続する第１のモード（以下、親機モード）で、通信部６ｂを携帯電話２０Ｂに無線接続させる。図１に示す例では、携帯電話２０Ｂは、他の機器に従属して接続する第２のモード（以下、子機モード）で、通信部６ｂを携帯電話２０Ａに無線接続させる。
【００１４】
携帯電話２０Ａ及び２０Ｂは、例えば、同一の利用者によって所有されている。そして、携帯電話２０Ａは、着信があった場合に、通信部６ｂによる近距離無線通信を介して、携帯電話２０Ｂに着信を通知する。
【００１５】
図１に示すように、例えば、携帯電話３０が携帯電話２０Ａに対して発信すると、この発信は、基地局９１ａ、公衆回線ネットワーク９０、及び基地局９１ｂを経由して、携帯電話２０Ａに届く。携帯電話２０Ａは、着信を検出すると、通信部６ｂによる近距離無線通信を介して、接続相手である携帯電話２０Ｂに対して、着信を通知する。携帯電話２０Ｂは、携帯電話２０Ａから着信が通知されると、着信音、振動、ランプの点滅等によって、利用者に着信を報知する。
【００１６】
報知に気付いた利用者が携帯電話２０Ａ又は２０Ｂに対して所定のオフフック操作を行うと、携帯電話２０Ａと携帯電話３０との間の通話が開始される。オフフック操作は、着信に応じて通話を開始するための操作である。携帯電話２０Ａは、携帯電話２０Ａと携帯電話３０との間で携帯電話２０Ｂへの操作によって応答した通話中、携帯電話２０Ｂと携帯電話３０との間の音声データＤ１のやりとりを中継する。携帯電話２０Ａは、携帯電話２０Ａ、携帯電話２０Ｂ、および携帯電話３０のいずれかで呼を切断した場合には、携帯電話２０Ａと携帯電話３０との間の音声データＤ１のやりとりの中継を終了する。
【００１７】
携帯電話２０Ｂは、自機に割り当てられた電話番号を指定して発信された着信を検出した場合も、着信音、振動、ランプの点滅等によって、利用者に着信を報知する。そして、報知に気付いた利用者が所定のオフフック操作を行うと、携帯電話２０Ｂと発信元の電子機器（例えば、携帯電話）との間の通話が開始される。この場合、携帯電話２０Ｂと発信元の電子機器（例えば、携帯電話３０以外の他の携帯電話）との間でやり取りされる音声データは、携帯電話２０Ｂの接続相手である携帯電話２０Ａによって中継されることはない。
【００１８】
このように、携帯電話２０Ａと携帯電話２０Ｂとが、相互に通信可能な状態で接続中である場合、親機モードである携帯電話２０Ａに対する着信が、子機モードである携帯電話２０Ｂに通知される。このため、携帯電話２０Ａ及び２０Ｂが同一の利用者によって所有されている場合、携帯電話２０Ｂだけで、携帯電話２０Ａ及び携帯電話２０Ｂに対する着信に対して応答が可能となる。
【００１９】
図２及び図３は、モードの切り替え例を示す図である。図２に示すように、携帯電話２０Ａは、通信部６ｂに対する操作を行うためのメニュー画面４０ａを表示させる（ステップＳ１１）。携帯電話２０Ａは、メニュー画面４０ａにおいて、子機モードへ切り替えが選択操作されると、自機のモードを親機モードから子機モードに切り替える（ステップＳ１２）。一方、図３に示すように、携帯電話２０Ｂにおいても、図２に示す携帯電話２０Ａと同様の制御が実行される。図３に示すように、携帯電話２０Ｂは、通信部６ｂに対する操作を行うためのメニュー画面４０ｂを表示させる（ステップＳ２１）。携帯電話２０Ｂは、メニュー画面４０ｂにおいて、親機モードへ切り替えが選択操作されると、自機のモードを子機モードから親機モードに切り替える（ステップＳ２２）。図２及び図３に示す制御の双方が完了した時点で、携帯電話２０Ａ及び携帯電話２０Ｂに設定中のモードの切り替えが完了する。
【００２０】
図４は、モード切替後の着信の通知の例を示す図である。図４に示すように、携帯電話２０Ａには子機モードが設定されている。携帯電話２０Ａは、子機モードで、通信部６ｂを携帯電話２０Ｂに無線接続させる。図４に示すように、携帯電話２０Ｂには、親機モードが設定されている。携帯電話２０Ｂは、親機モードで、通信部６ｂを携帯電話２０Ａに無線接続させる。
【００２１】
そして、携帯電話２０Ｂは、着信があった場合に、通信部６ｂによる近距離無線通信を介して、携帯電話２０Ａに着信を通知する。
【００２２】
図４に示すように、例えば、携帯電話３０が携帯電話２０Ｂに対して発信すると、この発信は、基地局９１ａ、公衆回線ネットワーク９０、及び基地局９１ｂを経由して、携帯電話２０Ｂに届く。携帯電話２０Ｂは、着信を検出すると、通信部６ｂによる近距離無線通信を介して、接続相手である携帯電話２０Ａに対して、着信を通知する。携帯電話２０Ａは、携帯電話２０Ｂから着信が通知されると、着信音、振動、ランプの点滅等によって、利用者に着信を報知する。
【００２３】
報知に気付いた利用者が携帯電話２０Ａ又は２０Ｂに対して所定のオフフック操作を行うと、携帯電話２０Ｂと携帯電話３０との間の通話が開始される。携帯電話２０Ｂは、携帯電話２０Ｂと携帯電話３０との間で携帯電話２０Ａへの操作によって応答した通話中、携帯電話２０Ａと携帯電話３０との間の音声データＤ２のやりとりを中継する。携帯電話２０Ｂは、携帯電話２０Ａ、携帯電話２０Ｂ、および携帯電話３０のいずれかで呼を切断した場合には、携帯電話２０Ａと携帯電話３０との間の音声データＤ２のやりとりの中継を終了する。
【００２４】
図１に示す例では、親機モードである携帯電話２０Ａに対する着信が、子機モードである携帯電話２０Ｂに通知される。一方、図４に示す例では、親機モードである携帯電話２０Ｂに対する着信が、子機モードである携帯電話２０Ａに通知される。このように、利用者は、携帯電話２０Ａ及び携帯電話２０Ｂを、親機モード及び子機モードのいずれのモードで使用するかを柔軟に変更でき、使用態様に柔軟性を持たせることができる。
【００２５】
図５を参照しながら、実施形態１に係る携帯電話の機能的な構成について説明する。携帯電話２０Ａ及び携帯電話２０Ｂは機能的に同様の構成を有するので、以下では、携帯電話２０Ａについて説明する。図５は、実施形態１に係る携帯電話の機能的な構成の例を示すブロック図である。以下の説明においては、同様の構成要素に同一の符号を付すことがある。さらに、重複する説明は省略することがある。
【００２６】
図５に示すように、携帯電話２０Ａは、表示部２と、操作部３と、通信部６ａ及び６ｂと、レシーバ７と、マイク８と、記憶部９と、制御部１０と、スピーカ１１と、発光部１３と、振動部１５とを有する。
【００２７】
表示部２は、液晶ディスプレイ（Ｌｉｑｕｉｄ  Ｃｒｙｓｔａｌ  Ｄｉｓｐｌａｙ）、有機ＥＬディスプレイ（Ｏｒｇａｎｉｃ  Ｅｌｅｃｔｒｏ−Ｌｕｍｉｎｅｓｃｅｎｃｅ  Ｄｉｓｐｌａｙ）等の表示パネルを有する。表示部２は、制御部１０から入力される信号に応じて、文字、図形、画像等の情報を表示する。表示部２が表示する情報には、報知のための画面、上記メニュー画面４０ａ及び４０ｂ、アイコン等が含まれる。
【００２８】
操作部３は、利用者の操作を受け付けるための１ないし複数のデバイスを有する。利用者の操作を受け付けるためのデバイスは、例えば、キー、ボタン、タッチスクリーン等を含む。操作部３は、受け付けた操作に応じた信号を制御部１０へ入力する。
【００２９】
通信部６ａは、公衆回線ネットワーク９０を介して通信を行うための２Ｇ、３Ｇ、４Ｇ等の通信方式を用いて通信を行う通信部である。公衆回線ネットワーク９０を介して通信を行うための通信規格には、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等が含まれる。通信部６ａが通信に用いる通信方式には、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）のように公衆回線ネットワーク９０を介してデータ通信を行うための通信方式を含んでよい。通信部６ａがデータ通信を行うための通信方式を用いる場合、データ伝送の技術と、ＶｏＩＰ（Ｖｏｉｃｅ  ｏｖｅｒ  Ｉｎｔｅｒｎｅｔ  Ｐｒｏｔｏｃｏｌ）等の音声をデータとして伝送する技術とを組み合わせることによって、通話が実現される。通信部６ａが通信を行う為にサポートする通信方式は１つである必要はなく、公衆回線ネットワークを介して通信を行うための複数の通信方式をサポートしてもよい。
【００３０】
通信部６ｂは、近距離無線通信を用いて通信を行う通信部である。通信部６ｂは、他の電子機器に無線接続するか、又は他の電子機器から無線接続される接続部でもある。近距離無線通信方式には、Ｂｌｕｅｔｏｏｔｈ（登録商標）、無線ＬＡＮ（ＩＥＥＥ８０２．１１）、ＺｉｇＢｅｅ（登録商標）、赤外線通信、可視光通信、ＮＦＣ（Ｎｅａｒ  Ｆｉｅｌｄ  Ｃｏｍｍｕｎｉｃａｔｉｏｎ）等が含まれる。通信部６ｂが通信を行う為にサポートする通信方式は１つである必要はなく、複数の近距離無線通信方式をサポートしてもよい。
【００３１】
レシーバ７及びスピーカ１１は、音出力部である。レシーバ７及びスピーカ１１は、制御部１０から入力される音信号を音として出力する。レシーバ７は、例えば、通話時に相手の声を出力するために用いられる。スピーカ１１は、例えば、着信音及び音楽を出力するために用いられる。レシーバ７及びスピーカ１１の一方が、他方の機能を兼ねてもよい。マイク８は、音入力部である。マイク８は、利用者の音声等を音信号へ変換して制御部１０へ入力する。
【００３２】
記憶部９は、プログラム及びデータを記憶する。記憶部９は、制御部１０の処理結果を一時的に記憶する作業領域としても利用される。記憶部９は、半導体記憶媒体、及び磁気記憶媒体等の任意の非一過的（ｎｏｎ−ｔｒａｎｓｉｔｏｒｙ）な記憶媒体を含んでよい。記憶部９は、複数の種類の記憶媒体を含んでよい。記憶部９は、メモリカード、光ディスク、又は光磁気ディスク等の可搬の記憶媒体と、記憶媒体の読み取り装置との組み合わせを含んでよい。記憶部９は、ＲＡＭ（Ｒａｎｄｏｍ  Ａｃｃｅｓｓ  Ｍｅｍｏｒｙ）等の一時的な記憶領域として利用される記憶デバイスを含んでよい。
【００３３】
記憶部９は、制御プログラム９Ａ、接続関連データ９Ｂ、プロファイル９Ｃ及びアドレス帳データ９Ｄなどを記憶する。
【００３４】
制御プログラム９Ａは、他の電子機器を従属させて接続する親機モード、および他の電子機器に従属して接続する子機モードの一方で、上記通信部６ｂを他の電子機器に無線接続させるための機能を提供する。制御プログラム９Ａは、親機モードおよび子機モードを切り替えるための機能を提供する。制御プログラム９Ａは、着信を通知する親機モード側の電子機器において着信の通知を制御するための着信通知機能を提供する。
【００３５】
接続関連データ９Ｂは、他の電子機器との接続に関する情報である。プロファイル９Ｃは、接続された電子機器との間でデータ通信を行う際に利用される標準化されたプロトコルであり、電子機器の特性に応じて予め実装される。アドレス帳データ９Ｄは、通信及び通話の相手に関する各種情報である。
【００３６】
図６は、実施形態１に係る接続関連データ９Ｂの例を示す図である。図６に示すように、接続関連データ９Ｂには、自機モードの情報、接続相手である電子機器を特定するための登録機器の情報、接続相手である電子機器の種別を特定するための情報、他の電子機器との接続状態を特定するためのステータスの情報が含まれる。自機モードには、「親」、「子」又は「なし」のいずれかに対応する値が登録される。登録機器には、接続相手の電子機器に一意に付与される製造番号、ＭＡＣアドレスなどの値が登録される。種別には、接続される電子機器に一意に付与される文字の組合せが登録される。ＴＰ１は、例えば、携帯電話に対応する。ステータスには、「接続中」又は「未接続」に対応する値が登録される。
【００３７】
制御部１０は、演算処理装置である。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−ｃｈｉｐ）、ＭＣＵ（Ｍｉｃｒｏ  Ｃｏｎｔｒｏｌ  Ｕｎｉｔ）、及びＦＰＧＡ（Ｆｉｅｌｄ−Ｐｒｏｇｒａｍｍａｂｌｅ  Ｇａｔｅ  Ａｒｒａｙ）を含むが、これらに限定されない。制御部１０は、携帯電話２０Ａの動作を統括的に制御して各種の機能を実現する。
【００３８】
具体的には、制御部１０は、記憶部９に記憶されているデータを必要に応じて参照しつつ、記憶部９に記憶されているプログラムに含まれる命令を実行する。そして、制御部１０は、データ及び命令に応じて機能部を制御し、それによって各種機能を実現する。機能部は、例えば、表示部２、通信部６ａ及び６ｂ、レシーバ７、スピーカ１１、発光部１３、及び振動部１５を含むが、これらに限定されない。制御部１０は、検出部の検出結果に応じて、制御を変更することがある。検出部は、例えば、操作部３、通信部６ａ及び６ｂ、及びマイク８を含むが、これらに限定されない。
【００３９】
制御部１０は、制御プログラム９Ａを実行することにより、図１〜図４に示した各種制御方法に対応する処理を実行する。
【００４０】
制御部１０は、例えば、親機モードで通信部６ｂを他の電子機器に無線接続させる場合には、親機モードで通信部６ｂが他の電子機器に無線接続するように通信部６ｂの動作を制御する。そして、制御部１０は、親機モードで通信部６ｂが他の電子機器に無線接続されている場合には、通信部６ｂによる近距離無線通信を介して、着信を携帯電話２０Ｂに通知する。制御部１０は、例えば、子機モードで通信部６ｂを他の電子機器に無線接続させる場合には、子機モードで通信部６ｂが他の電子機器に無線接続するように通信部６ｂの動作を制御する。そして、制御部１０は、子機モードで通信部６ｂが他の電子機器に無線接続されている場合には、着信音、振動、ランプの点滅等によって、利用者に着信を報知する。
【００４１】
制御部１０は、モードの切り替え操作を検出すると、通信部６ｂが動作中である場合には動作を停止させた後、モードの切り替えを行い、通信部６ｂを初期化する。制御部１０は、例えば、通信部６ｂにおいてＢｌｕｅｔｏｏｔｈ（登録商標）の接続中である場合には、Ｂｌｕｅｔｏｏｔｈの接続を切断し、Ｂｌｕｅｔｏｏｔｈの機能をＯＦＦにした後、モードの切り替えを行う。続いて、制御部１０は、切り替え後のモードでＢｌｕｅｔｏｏｔｈの機能をＯＮにする操作を検出すると、Ｂｌｕｅｔｏｏｔｈモジュールを初期化する。制御部１０は、例えば、通信部６ｂにおいてＢｌｕｅｔｏｏｔｈの機能がＯＮである場合には、Ｂｌｕｅｔｏｏｔｈの機能をＯＦＦにした後、モードの切り替えを行う。続いて、制御部１０は、切り替え後のモードでＢｌｕｅｔｏｏｔｈの機能をＯＮにする操作を検出すると、Ｂｌｕｅｔｏｏｔｈモジュールを初期化する。制御部１０は、モードの切り替えを行った場合、記憶部９に記憶されている接続関連データ９Ｂの自機モードの値を更新しておく。Ｂｌｕｅｔｏｏｔｈの機能がＯＮである場合には、通信部６ｂに他の電子機器が無線接続されていない状態を含む。Ｂｌｕｅｔｏｏｔｈの機能がＯＦＦである場合には、Ｂｌｕｅｔｏｏｔｈの機能が停止されている状態、又は通信部６ｂに電源が投入されていない状態を含む。
【００４２】
発光部１３は、設定された色及びパターンで発光する。発光部１３は、ＬＥＤ（Ｌｉｇｈｔ  Ｅｍｉｔｔｉｎｇ  Ｄｉｏｄｅ）等の光源を有し、光源の発する光が外部から視認できるように携帯電話２０Ａに搭載される。振動部１５は、携帯電話２０Ａを振動させる。振動部１５は、携帯電話２０Ａを振動させるために、例えば、圧電素子、又は偏心モータを用いる。表示部２、スピーカ１１、発光部１３、及び振動部１５は、電話の着信、メールの受信、スケジュールに登録された時刻の到来等を利用者に報知するために用いられる。
【００４３】
図５に示した携帯電話２０Ａの機能的な構成は、例であり、本発明の要旨を損なわない範囲において適宜変更してよい。
【００４４】
図７を用いて、実施形態１に係る携帯電話により実行される処理手順の例を説明する。図７は、実施形態１に係る携帯電話により実行されるモード切替手順の例を示すフローチャートである。図７に示す手順は、制御部１０が、記憶部９に記憶されている制御プログラム９Ａなどを実行することによって実現される。親機モードから子機モードへの切り替えであっても、子機モードから親機モードへの切り替えであっても、図７に示す手順により実行される。
【００４５】
図７に示すように、制御部１０は、表示部２に表示させるメニュー画面（図２又は図３参照）において、モードの切り替え操作を検出すると（ステップＳ１０１）、通信部６ｂにおいてＢｌｕｅｔｏｏｔｈ（登録商標）の接続中であるかを判定する（ステップＳ１０２）。
【００４６】
制御部１０は、判定の結果、Ｂｌｕｅｔｏｏｔｈが接続中である場合には（ステップＳ１０２，Ｙｅｓ）、Ｂｌｕｅｔｏｏｔｈの接続を切断し、Ｂｌｕｅｔｏｏｔｈの機能をＯＦＦにする（ステップＳ１０３）。続いて、制御部１０は、モードの切り替え（親機モード→子機モード、子機モード→親機モード）を実行する（ステップＳ１０４）。
【００４７】
一方、制御部１０は、判定の結果、Ｂｌｕｅｔｏｏｔｈが接続中ではない場合には（ステップＳ１０２，Ｎｏ）、そのまま、ステップＳ１０４の手順に進み、モードの切り替えを実行する。
【００４８】
続いて、制御部１０は、表示部２に表示させるメニュー画面（図２又は図３参照）において、切り替え後のモードでＢｌｕｅｔｏｏｔｈの機能をＯＮにする操作を検出したかを判定する（ステップＳ１０５）。
【００４９】
制御部１０は、判定の結果、Ｂｌｕｅｔｏｏｔｈの機能をＯＮにする操作を検出した場合には（ステップＳ１０５，Ｙｅｓ）、Ｂｌｕｅｔｏｏｔｈモジュールを初期化して（ステップＳ１０６）、図７に示す手順を終了する。
【００５０】
制御部１０は、判定の結果、Ｂｌｕｅｔｏｏｔｈの機能をＯＮにする操作を検出しない場合には（ステップＳ１０５，Ｎｏ）、図７に示す手順を終了する。ステップＳ１０５の判定は、モードの切り替えが行われた後、一定時間内にＢｌｕｅｔｏｏｔｈの機能をＯＮにする操作が無い場合には、Ｂｌｕｅｔｏｏｔｈの機能をＯＮにする操作を検出しないものと判定し、図７に示す手順を終了させる。あるいは、モードの切り替えが行われた後、Ｂｌｕｅｔｏｏｔｈの機能をＯＮにする操作が行われる前に、他の操作が行われた場合には、図７に示す手順を終了させてもよい。
【００５１】
図８及び図９を用いて、携帯電話２０Ａ及び携帯電話２０Ｂにより実行される処理手順の例を説明する。
【００５２】
図８は、携帯電話２０Ａ及び携帯電話２０Ｂにおいて図２及び図３に示すモードの切り替えが行われた後に、２つの携帯電話が相互に接続される手順の例を示す図である。図２に示す例では、携帯電話２０Ａのモードが親機モードから子機モードに切り替えられる様子を示し、図３に示す例では、携帯電話２０Ｂのモードが子機モードから親機モードに切り替えられる様子を示している。
【００５３】
図８に示す手順が行われる前提として、携帯電話２０Ａには、携帯電話２０Ｂとの接続を行うための事前処理が行われているものとする。例えば、携帯電話２０Ｂの通信部６ｂにおけるＢｌｕｅｔｏｏｔｈ（登録商標）の機能によって探索されるようにするための処理が、携帯電話２０Ａに対して行われているものとする。
【００５４】
図８に示すように、携帯電話２０Ｂは、接続相手の探索を開始し（ステップＳ２０１）、探索された機器の一覧を表示する（ステップＳ２０２）。
【００５５】
携帯電話２０Ｂは、接続相手として、携帯電話２０Ａの選択操作を検出すると（ステップＳ２０３）、携帯電話２０Ａとの間でペアリング処理を実行する（ステップＳ２０４）。
【００５６】
ペアリング処理が実行されると、携帯電話２０Ｂは、パスキーの認証画面を表示する（ステップＳ２０５）。そして、携帯電話２０Ｂは、パスキー認証の成功を条件として、ペアリング処理を完了する（ステップＳ２０６）。
【００５７】
一方で、携帯電話２０Ａは、上記ステップＳ２０４のペアリング処理が実行されると、パスキーの認証画面を表示する（ステップＳ２０７）。そして、携帯電話２０Ａは、パスキー認証の成功を条件として、ペアリング処理を完了する（ステップＳ２０８）。
【００５８】
図８に示す手順が完了すると、携帯電話２０Ａの通信部６ｂが、携帯電話２０Ｂと子機モードで無線接続され、携帯電話２０Ｂの通信部６ｂが、携帯電話２０Ａと親機モードで無線接続される（図４参照）。以後、携帯電話２０Ｂは、例えば、着信を検出すると、通信部６ｂによる近距離無線通信を介して、接続相手である携帯電話２０Ａに対して、着信を通知する。携帯電話２０Ａは、携帯電話２０Ｂから着信が通知されると、着信音、振動、ランプの点滅等によって、利用者に着信を報知する。
【００５９】
図９は、他の携帯電話からアドレス帳データを取得する手順の例を示す図である。携帯電話２０Ａは、例えば、図８に示すように、携帯電話２０Ｂとの無線接続が確立した後、携帯電話２０Ｂからアドレス帳データを取得することができる。
【００６０】
図９に示すように、携帯電話２０Ａは、表示部２に表示させるメニュー画面（図２又は図３参照）において、アドレス帳データの取得操作を検出すると（ステップＳ３０１）、通信部６ｂによる近距離無線通信を介して、アドレス帳データの取得要求を携帯電話２０Ｂに送信する（ステップＳ３０２）。
【００６１】
携帯電話２０Ｂは、携帯電話２０Ａからアドレス帳データの取得要求を受信すると（ステップＳ３０３）、アドレス帳データを読み込み（ステップＳ３０４）、読み込んだアドレス帳データを携帯電話２０Ａに送信する（ステップＳ３０５）。
【００６２】
携帯電話２０Ａは、携帯電話２０Ｂからアドレス帳データを受信すると（ステップＳ３０６）、受信したアドレス帳データを記憶部９に格納する（ステップＳ３０７）。
【００６３】
上述してきたように、実施形態１によれば、携帯電話２０Ａ及び携帯電話２０Ｂを、親機モード及び子機モードのいずれのモードで使用するかを柔軟に変更でき、使用態様に柔軟性を持たせることができる。
【００６４】
（実施形態２）
実施形態１において、例えば、携帯電話（携帯電話２０Ａ又は携帯電話２０Ｂ）は、モードの切り替え操作を検出した場合、通信部６ｂの機能を停止させてもよいかを確認するための確認画面を表示するようにしてもよい。以下、携帯電話２０Ａを例に挙げて説明する。
【００６５】
制御プログラム９Ａは、親機モードおよび子機モードのモード切り替えが、通信部６ｂが動作しているときに実行された場合には、モード切り替えの許否を確認するための確認画面を表示部２に表示させるための機能を提供する。一方で、制御プログラム９Ａは、上記モード切り替えが、通信部６ｂが動作していないときに実行された場合には、上記確認画面を表示部２に表示させないようにするための機能も提供する。
【００６６】
制御プログラム９Ａは、親機モードおよび子機モードのモード切り替えが、通信部６ｂに他の電子機器が接続しているときに実行された場合には、モード切り替えの許否を確認するための確認画面を表示部２に表示させるための機能を提供する。一方で、制御プログラム９Ａは、上記モード切り替えが、通信部６ｂに他の電子機器が接続していないときに実行された場合には、上記確認画面を表示部２に表示させないようにするための機能も提供する。
【００６７】
制御部１０は、制御プログラム９Ａを実行することにより、上記モード切り替えが、通信部６ｂが動作しているときに実行された場合には、上記確認画面を表示部２に表示させる。一方で、制御部１０は、上記モード切り替えが、通信部６ｂが動作していないときに実行された場合には、上記確認画面を表示部２に表示させない。
【００６８】
制御部１０は、制御プログラム９Ａを実行することにより、上記モード切り替えが、通信部６ｂに他の電子機器が接続しているときに実行された場合には、上記確認画面を表示部２に表示させる。一方で、制御部１０は、上記モード切り替えが、通信部６ｂに他の電子機器が接続していないときに実行された場合には、上記確認画面を表示部２に表示させない。
【００６９】
他の電子機器には、携帯電話、ヘッドセット、パーソナルコンピュータ、オーディオセットなどが含まれる。通信部６ｂが動作しているときには、例えば、通信部６ｂにおいてＢｌｕｅｔｏｏｔｈ（登録商標）の機能がＯＮである場合が含まれる。通信部６ｂに他の電子機器が接続されているときには、Ｂｌｕｅｔｏｏｔｈ（登録商標）の機能により、通信部６ｂに他の電子機器が無線接続している場合が含まれる。
【００７０】
図１０及び図１１を用いて、実施形態２に係る携帯電話による制御の例を説明する。図１０及び図１１では、携帯電話２０Ｂにおける子機モードから親機モードへの切り替え（図３参照）の制御について説明するが、携帯電話２０Ａにおける親機モードから子機モードの切り替え（図２参照）も、図１０及び図１１と同様の制御により実現される。
【００７１】
図１０は、モード切り替えが、通信部６ｂが動作しているときに実行された場合の制御の例を示す図である。図１０に示す制御の前提として、モードの切り替えが行われる前に、通信部６ｂにおいてＢｌｕｅｔｏｏｔｈ（登録商標）の機能がＯＮであるものとする。
【００７２】
携帯電話２０Ｂは、例えば、利用者の操作に応じて、子機モードに対応するメニュー画面４０ｂを表示部２に表示させる（ステップＳ４１）。
【００７３】
続いて、携帯電話２０Ｂは、メニュー画面４０ｂにおいて、親機モードへの切替操作を検出すると（ステップＳ４２）、Ｂｌｕｅｔｏｏｔｈの機能をＯＦＦにしてモードの切り替えを実行することを許可するか否かを利用者に確認するための確認画面４１ｂを表示する（ステップＳ４３）。
【００７４】
携帯電話２０Ｂは、確認画面４１ｂにおいて、モードの切り替えを許可しないための操作（「いいえ」の選択）を検出すると、ステップＳ４１に戻る。
【００７５】
携帯電話２０Ｂは、確認画面４１ｂにおいて、モードの切り替えを許可するための操作（「はい」の選択）を検出すると、子機モードから親機モードへの切り替えを実行する（ステップＳ４４）。
【００７６】
切り替え完了後、携帯電話２０Ｂは、親機モードに対応するメニュー画面４０ａを表示部２に表示する（ステップＳ４５）。
【００７７】
図１１は、モード切り替えが、通信部６ｂに他の電子機器が接続しているときに実行された場合の制御の例を示す図である。図１１に示す制御の前提として、モードの切り替えが行われる前に、Ｂｌｕｅｔｏｏｔｈ（登録商標）の機能により、例えば、通信部６ｂに他の電子機器（携帯電話２０Ｂなど）が無線接続しているものとする。
【００７８】
携帯電話２０Ｂは、例えば、利用者の操作に応じて、子機モードに対応するメニュー画面４０ｂを表示部２に表示させる（ステップＳ５１）。
【００７９】
続いて、携帯電話２０Ｂは、確認画面４２ｂにおいて、親機モードへの切替操作を検出すると（ステップＳ５２）、Ｂｌｕｅｔｏｏｔｈによる接続を切断してモードの切り替えを実行することを許可するか否かを利用者に確認するための確認画面４２ｂを表示する（ステップＳ５３）。
【００８０】
携帯電話２０Ｂは、確認画面４２ｂにおいて、モードの切り替えを許可しないための操作（「いいえ」の選択）を検出すると、ステップＳ５１に戻る。
【００８１】
携帯電話２０Ｂは、メニュー画面４０ｂにおいて、モードの切り替えを許可するための操作（「はい」の選択）を検出すると、子機モードから親機モードへの切り替えを実行する（ステップＳ５４）。
【００８２】
切り替え完了後、携帯電話２０Ｂは、親機モードに対応するメニュー画面４０ａを表示部２に表示する（ステップＳ５５）。
【００８３】
図１２及び図１３を用いて、実施形態２に係る携帯電話により実行される処理手順の例を説明する。
【００８４】
図１２は、Ｂｌｕｅｔｏｏｔｈ（登録商標）の機能がＯＮであるときの切替手順の例を示すフローチャートである。
【００８５】
図１２に示すように、制御部１０は、表示部２に表示させるメニュー画面（図１０参照）において、モードの切り替え操作を検出すると（ステップＳ４０１）、通信部６ｂにおいてＢｌｕｅｔｏｏｔｈの機能がＯＮであるかを判定する（ステップＳ４０２）。
【００８６】
制御部１０は、判定の結果、Ｂｌｕｅｔｏｏｔｈの機能がＯＮである場合には（ステップＳ４０２，Ｙｅｓ）、Ｂｌｕｅｔｏｏｔｈの機能をＯＦＦにしてモードの切り替えを実行することを許可するか否かを利用者に確認するための確認画面を表示する（ステップＳ４０３）。
【００８７】
続いて、制御部１０は、モードの切り替えが許可されたかを判定する（ステップＳ４０４）。すなわち、制御部１０は、確認画面において、モードの切り替えを許可する操作が検出されたかを判定する。
【００８８】
制御部１０は、判定の結果、モードの切り替えが許可された場合には（ステップＳ４０４，Ｙｅｓ）、Ｂｌｕｅｔｏｏｔｈの機能をＯＦＦにして（ステップＳ４０５）、モードの切り替えを実行する（ステップＳ４０６）。
【００８９】
続いて、制御部１０は、メニュー画面（例えば、図１０参照）において、Ｂｌｕｅｔｏｏｔｈの機能をＯＮにする操作が検出されたかを判定する（ステップＳ４０７）。
【００９０】
制御部１０は、判定の結果、Ｂｌｕｅｔｏｏｔｈの機能をＯＮにする操作が検出された場合には（ステップＳ４０７，Ｙｅｓ）、通信部６ｂのＢｌｕｅｔｏｏｔｈモジュールを初期化して（ステップＳ４０８）、図１２に示す手順を終了する。
【００９１】
一方、制御部１０は、判定の結果、Ｂｌｕｅｔｏｏｔｈの機能をＯＮにする操作が検出されない場合には（ステップＳ４０７，Ｎｏ）、そのまま、図１２に示す処理手順を終了する。ステップＳ４０７の判定は、モードの切り替えが行われた後、一定時間内にＢｌｕｅｔｏｏｔｈの機能をＯＮにする操作が無い場合には、Ｂｌｕｅｔｏｏｔｈの機能をＯＮにする操作を検出しないものと判定し、図１２に示す手順を終了させる。あるいは、モードの切り替えが行われた後、Ｂｌｕｅｔｏｏｔｈの機能をＯＮにする操作が行われる前に、他の操作が行われた場合には、図１２に示す手順を終了させてもよい。
【００９２】
ステップＳ４０４において、制御部１０は、判定の結果、モードの切り替えが許可されなかった場合（ステップＳ４０４，Ｎｏ）には、モードの切り替えを実行することなく、図１２に示す手順を終了する。
【００９３】
ステップＳ４０２において、制御部１０は、判定の結果、Ｂｌｕｅｔｏｏｔｈの機能がＯＮではない場合には（ステップＳ４０２，Ｎｏ）、確認画面（図１０参照）を表示させることなく、上記ステップＳ４０６の手順に移り、モードの切り替えを実行する。
【００９４】
図１３は、Ｂｌｕｅｔｏｏｔｈ（登録商標）の機能により、通信部６ｂに他の電子機器が無線接続しているときの切替手順の例を示すフローチャートである。
【００９５】
図１３に示すように、制御部１０は、表示部２に表示させるメニュー画面（図１１参照）において、モードの切り替え操作を検出すると（ステップＳ５０１）、Ｂｌｕｅｔｏｏｔｈの機能により、通信部６ｂに他の電子機器が接続中であるかを判定する（ステップＳ５０２）。
【００９６】
制御部１０は、判定の結果、Ｂｌｕｅｔｏｏｔｈの機能により、通信部６ｂに他の電子機器が接続中である場合には（ステップＳ５０２，Ｙｅｓ）、Ｂｌｕｅｔｏｏｔｈの接続を切断してモードの切り替えを実行することを許可するか否かを利用者に確認するための確認画面を表示する（ステップＳ５０３）。
【００９７】
続いて、制御部１０は、モードの切り替えが許可されたかを判定する（ステップＳ５０４）。すなわち、制御部１０は、確認画面において、モードの切り替えを許可する操作が検出されたかを判定する。
【００９８】
制御部１０は、判定の結果、モードの切り替えが許可された場合には（ステップＳ５０４，Ｙｅｓ）、Ｂｌｕｅｔｏｏｔｈの接続を切断にして、Ｂｌｕｅｔｏｏｔｈの機能をＯＦＦにした後（ステップＳ５０５）、モードの切り替えを実行する（ステップＳ５０６）。
【００９９】
続いて、制御部１０は、メニュー画面（例えば、図１１参照）において、Ｂｌｕｅｔｏｏｔｈの機能をＯＮにする操作が検出されたかを判定する（ステップＳ５０７）。
【０１００】
制御部１０は、判定の結果、Ｂｌｕｅｔｏｏｔｈの機能をＯＮにする操作が検出された場合には（ステップＳ５０７，Ｙｅｓ）、通信部６ｂのＢｌｕｅｔｏｏｔｈモジュールを初期化して（ステップＳ５０８）、図１３に示す手順を終了する。
【０１０１】
一方、制御部１０は、判定の結果、Ｂｌｕｅｔｏｏｔｈの機能をＯＮにする操作が検出されない場合には（ステップＳ５０７，Ｎｏ）、そのまま、図１３に示す処理手順を終了する。ステップＳ５０７の判定は、モードの切り替えが行われた後、一定時間内にＢｌｕｅｔｏｏｔｈの機能をＯＮにする操作が無い場合には、Ｂｌｕｅｔｏｏｔｈの機能をＯＮにする操作を検出しないものと判定し、図１３に示す手順を終了させる。あるいは、モードの切り替えが行われた後、Ｂｌｕｅｔｏｏｔｈの機能をＯＮにする操作が行われる前に、他の操作が行われた場合には、図１３に示す手順を終了させてもよい。
【０１０２】
ステップＳ５０４において、制御部１０は、判定の結果、モードの切り替えが許可されなかった場合（ステップＳ５０４，Ｎｏ）には、モードの切り替えを実行することなく、図１３に示す手順を終了する。
【０１０３】
ステップＳ５０２において、制御部１０は、判定の結果、Ｂｌｕｅｔｏｏｔｈの機能により、通信部６ｂに他の電子機器が接続中ではない場合には（ステップＳ５０２，Ｎｏ）、確認画面（図１１参照）を表示させることなく、上記ステップＳ５０６の手順に移り、モードの切り替えを実行する。
【０１０４】
実施形態２では、携帯電話２０Ａは、切り替え操作が行われたときに、Ｂｌｕｅｔｏｏｔｈの機能がＯＮである場合には、Ｂｌｕｅｔｏｏｔｈの機能をＯＦＦにしてモードの切り替えを実行することを許可するか否かを利用者に確認するための確認画面を表示する。あるいは、携帯電話２０Ａは、切り替え操作が行われたときに、Ｂｌｕｅｔｏｏｔｈの機能により、通信部６ｂに他の電子機器が接続中である場合には、Ｂｌｕｅｔｏｏｔｈの機能を切断してモードの切り替えを実行することを許可するか否かを利用者に確認するための確認画面を表示する。このようなことから、実施形態２によれば、誤操作により利用者が受ける不利益を低減できる。
【０１０５】
（実施形態３）
上記実施形態において、携帯電話（携帯電話２０Ａ又は携帯電話２０Ｂ）は、子機モードで通信部６ｂが他の電子機器に無線接続されたときに利用されたプロファイルを表示させるようにしてもよい。
【０１０６】
制御プログラム９Ａは、通信部６ｂに無線接続された他の電子機器を識別するためのアイコン、及び子機モードで通信部６ｂが他の電子機器に無線接続されたときに利用されたプロファイルを表示部２に表示させるための機能を提供する。
【０１０７】
図１４及び図１５は、実施形態３に係る接続関連データ９Ｂの例を示す図である。図１４及び図１５に示すように、接続関連データ９Ｂには、自機モードの情報、登録機器の情報、電子機器の種別を特定するための情報、ステータスの情報に加えて、プロファイルの情報が含まれる。接続関連データ９Ｂには、現在接続中の他の電子機器との接続関係に基づくデータだけではなく、過去に接続した他の電子機器との接続関係に基づくデータが含まれる。
【０１０８】
制御部１０は、制御プログラム９Ａを実行することにより、通信部６ｂに無線接続された他の電子機器を識別するためのアイコン、及び子機モードで通信部６ｂが他の電子機器に無線接続されたときに利用されたプロファイルを表示させる。制御部１０は、記憶部９に記憶されている接続関連データ９Ｂを参照して、上記アイコン及び上記プロファイルを表示部２に表示させる。
【０１０９】
図１６及び図１７を用いて、実施形態３に係る携帯電話による制御の例を説明する。
【０１１０】
図１６は、親機モードであるときに登録機器一覧を表示する制御の例を示す図である。図１６に示すように、携帯電話２０Ａは、親機モードに対応するメニュー画面４０ａを表示部２に表示させる（ステップＳ６１）。
【０１１１】
続いて、携帯電話２０Ａは、メニュー画面４０ａにおいて、登録機器一覧を表示させる操作を検出すると（ステップＳ６２）、登録機器一覧の表示画面５０ａを表示部２に表示させる（ステップＳ６３）。
【０１１２】
登録機器一覧の表示画面５０ａには、携帯電話２０Ｂとの接続関係に基づくデータ、及び登録機器２との接続関係に基づくデータが表示される。携帯電話２０Ｂは、親機モードの携帯電話２０Ａと現在無線接続中の電子機器であり、登録機器２は過去に無線接続したことのある電子機器である。携帯電話２０Ｂとの接続関係に基づくデータには、通信部６ｂに携帯電話２０Ｂが無線接続されていることを示すアイコンＩｘと、携帯電話２０Ｂの機器の種別を識別するためのアイコンＩｙと、携帯電話２０Ａと携帯電話２０Ｂとの間で共通するプロファイルの情報（例えば、ＨＳＰ，ＨＦＰ）が含まれる。携帯電話２０Ａに表示される情報では、ＨＳＰ及びＨＦＰのうち、どちらのプロファイルで携帯電話２０Ｂと接続しているかは分からない。登録機器２との接続関係に基づくデータには、登録機器２の機器の種別を識別するためのアイコンＩｙと、携帯電話２０Ａと登録機器２との間で共通するプロファイルの情報（例えば、ＨＳＰ，ＨＦＰ，ＰＢＡＰ）が含まれる。
【０１１３】
図１７は、子機モードであるときに登録機器一覧を表示する制御の例を示す図である。図１７に示すように、携帯電話２０Ｂは、子機モードに対応するメニュー画面４０ｂを表示部２に表示させる（ステップＳ７１）。
【０１１４】
続いて、携帯電話２０Ｂは、メニュー画面４０ｂにおいて、登録機器一覧を表示させる操作を検出すると（ステップＳ７２）、登録機器一覧の表示画面５０ｂを表示部２に表示させる（ステップＳ７３）。
【０１１５】
登録機器一覧の表示画面５０ｂには、携帯電話２０Ａとの接続関係に基づくデータ、及び登録機器３との接続関係に基づくデータが表示される。携帯電話２０Ａは、子機モードである携帯電話２０Ｂと現在無線接続中の電子機器であり、登録機器３は過去に無線接続したことのある電子機器である。携帯電話２０Ａとの接続関係に基づくデータには、通信部６ｂに携帯電話２０Ａが無線接続されていることを示すアイコンＩｘと、携帯電話２０Ａの機器の種別を識別するためのアイコンＩｙと、携帯電話２０Ａと携帯電話２０Ｂとの間の無線接続に利用されているプロファイルの情報（例えば、ＨＳＰ）が含まれる。携帯電話２０Ｂに表示されている情報では、ＨＳＰを用いて、携帯電話２０Ａと接続していることが分かる。登録機器３との接続関係に基づくデータには、登録機器３の機器の種別を識別するためのアイコンＩｙと、携帯電話２０Ｂと登録機器３との間で共通するプロファイルの情報（例えば、ＨＦＰ）が含まれる。
【０１１６】
携帯電話２０Ｂに表示されている情報では、ＨＳＰを用いて、携帯電話２０Ａと接続していることが分かるので、利用者は、無線接続されている携帯電話２０Ａとの間でどのような動作あるいは操作が可能であるかを認識できる。例えば、ＨＦＰを用いて無線接続されている場合には、携帯電話２０Ｂにより、親機モードである携帯電話２０Ａから通知された着信に対する応答拒否動作及び応答保留動作が可能である。さらに、子機モードである携帯電話２０Ｂから親機モードである携帯電話２０Ａに対して、ＤＴＭＦ（Ｄｕａｌ  Ｔｏｎｅ  Ｍｕｌｔｉ  Ｆｒｅｑｕｅｎｃｙ）の送出及び発信動作が可能である。さらに、携帯電話２０Ｂにおいて、親機モードである携帯電話２０Ａの着信音による鳴動が可能である。さらに、親機モードである携帯電話２０Ａを用いて、子機モードである携帯電話２０Ｂの終話操作が可能である。ＨＳＰを用いて無線接続されている場合には、これらの動作あるいは操作を行うことはできない。
【０１１７】
図１６に示す例では、携帯電話２０Ａと携帯電話２０Ｂとの間で共通するプロファイルの情報（ＨＳＰ，ＨＦＰ）を表示するが、このとき、実際に無線接続に利用されたプロファイルが分かるように表示してもよい。
【０１１８】
図１６に示す例では、携帯電話２０Ａと携帯電話２０Ｂとの間で共通するプロファイルの情報（ＨＳＰ，ＨＦＰ）を表示するが、携帯電話２０Ａが実装するプロファイル、及び携帯電話２０Ｂが実装するプロファイルの全てを表示してもよい。
【０１１９】
図１６及び図１７に示す例では、過去に無線接続したことのある電子機器の情報を表示するが、現在接続中の電子機器の情報のみを表示してもよい。
【０１２０】
（その他の実施形態）
上記の実施形態では、携帯電話（携帯電話２０Ａ又は携帯電話２０Ｂ）は、他の電子機器と１対１の関係で無線接続する例を説明したが、複数の他の電子機器と１対多の関係で接続するようにしてもよい。
【０１２１】
図１８〜図２０を参照しながら、その他の実施形態に係る携帯電話による各種制御方法について説明する。図１８〜図２０は、その他の実施形態に係る着信の通知の例を示す図である。図１８〜図２０に示す携帯電話２０Ａ、２０Ｂ、２０Ｃ、３０ａ及び３０ｂは、通信部６ａを有する。携帯電話２０Ａは、通信部６ｂ−１及び６ｂ−２をさらに有する。携帯電話２０Ｂ及び２０Ｃは、通信部６ｂをさらに有する。
【０１２２】
通信部６ａは、公衆回線ネットワーク９０を通じて通話を行うことができるように構成されている。図１８に示す場面において、携帯電話２０Ａ及び２０Ｂの通信部６ａは、基地局９１ｂとの無線通信を介して、公衆回線（キャリア回線）ネットワーク９０に接続されている。図１８に示す場面において、携帯電話３０ａの通信部６ａは、基地局９１ａとの無線通信を介して、公衆回線ネットワーク９０に接続されている。図１８に示す場面において、携帯電話２０Ａ及び２０Ｃの通信部６ａは、基地局１０１ｂとの無線通信を介して、公衆回線（キャリア回線）ネットワーク１００に接続されている。図１８に示す場面において、携帯電話３０ｂの通信部６ａは、基地局１０１ａとの無線通信を介して、公衆回線ネットワーク１００に接続されている。
【０１２３】
通信部６ｂ、６ｂ−１及び６ｂ−２は、Ｂｌｕｅｔｏｏｔｈ（登録商標）等の近距離無線通信を通じて通話を行うことができるように構成されている。図１８に示す場面において、携帯電話２０Ａの通信部６ｂ−１と、携帯電話２０Ｂの通信部６ｂは、相互に通信可能な状態で無線接続されている。携帯電話２０Ａは、親機モードで、通信部６ｂ−１を携帯電話２０Ｂに無線接続させ、携帯電話２０Ｂは、子機モードで、通信部６ｂを携帯電話２０Ａに無線接続させる。さらに、図１８に示す場面において、携帯電話２０Ａの通信部６ｂ−２と、携帯電話２０Ｃの通信部６ｂは、相互に通信可能な状態で無線接続されている。携帯電話２０Ａは、子機モードで、通信部６ｂ−２を携帯電話２０Ｃに無線接続させ、携帯電話２０Ｃは、親機モードで、通信部６ｂを携帯電話２０Ａに無線接続させる。
【０１２４】
携帯電話２０Ａ、２０Ｂ及び２０Ｃは、例えば、同一の利用者によって所有されている。そして、携帯電話２０Ａは、着信があった場合に、通信部６ｂ−１による近距離無線通信を介して、着信を携帯電話２０Ｂに通知する。携帯電話２０Ｃは、着信があった場合に、通信部６ｂによる近距離無線通信を介して、着信を携帯電話２０Ａに通知する。
【０１２５】
図１８に示すように、例えば、携帯電話３０ａが携帯電話２０Ａに対して発信すると、この発信は、基地局９１ａ、公衆回線ネットワーク９０、及び基地局９１ｂを経由して、携帯電話２０Ａに届く。携帯電話２０Ａは、着信を検出すると、通信部６ｂ−１による近距離無線通信を介して、接続相手である携帯電話２０Ｂに対して、着信を通知する。携帯電話２０Ｂは、携帯電話２０Ａから着信が通知されると、着信音、振動、ランプの点滅等によって、利用者に着信を報知する。
【０１２６】
報知に気付いた利用者が携帯電話２０Ａ又は携帯電話２０Ｂに対してオフフック操作を行うと、携帯電話２０Ａと携帯電話３０ａとの間の通話が開始される。オフフック操作は、着信に応じて通話を開始するための操作である。携帯電話２０Ａに対する着信に対して、携帯電話２０Ｂのオフフック操作により応答した場合、携帯電話２０Ａは、携帯電話３０ａとの通話が実行されている間、携帯電話３０ａとの間でやり取りされる音声データＤ３を携帯電話２０Ｂに中継（転送）する。携帯電話２０Ａは、携帯電話２０Ａ、携帯電話２０Ｂ、および携帯電話３０のいずれかで呼を切断した場合には、携帯電話３０ａとの間の音声データＤ３のやりとりを終了し、携帯電話２０Ｂへの中継も終了する。
【０１２７】
図１８に示すように、例えば、携帯電話３０ｂが携帯電話２０Ｃに対して発信すると、この発信は、基地局１０１ａ、公衆回線ネットワーク１００、及び基地局１０１ｂを経由して、携帯電話２０Ｃに届く。携帯電話２０Ｃは、着信を検出すると、通信部６ｂによる近距離無線通信を介して、接続相手である携帯電話２０Ａに対して、着信を通知する。携帯電話２０Ａは、携帯電話２０Ｃから着信が通知されると、着信音、振動、ランプの点滅等によって、利用者に着信を報知する。
【０１２８】
報知に気付いた利用者が携帯電話２０Ｃは携帯電話２０Ａに対してオフフック操作を行うと、携帯電話２０Ｃと携帯電話３０ｂとの間の通話が開始される。オフフック操作は、着信に応じて通話を開始するための操作である。携帯電話２０Ｃに対する着信に対して、携帯電話２０Ａのオフフック操作により応答した場合、携帯電話２０Ｃは、携帯電話３０ｂとの通話が実行されている間、携帯電話３０ｂとの間でやり取りされる音声データＤ４を携帯電話２０Ａと中継（転送）する。携帯電話２０Ｃは、携帯電話２０Ｃ、携帯電話２０Ａ、および携帯電話３０ｂのいずれかで呼を切断した場合には、携帯電話３０ｂとの間の音声データＤ４のやりとりを終了し、携帯電話２０Ａへの中継も終了する。
【０１２９】
このように、携帯電話２０Ａは、携帯電話２０Ｂ及び携帯電話２０Ｃとの間でそれぞれ個別に無線接続を確立することにより、自機宛の着信にかかる音声データを携帯電話２０Ｂに転送しつつ、携帯電話２０Ｃから通知された着信にかかる音声データを携帯電話２０Ｃから受けることができる。
【０１３０】
図１９に示す場面では、図１８に示す場面と異なり、携帯電話２０Ａは、親機モードで、通信部６ｂ−２を携帯電話２０Ｃに無線接続させる。
【０１３１】
そして、携帯電話２０Ａは、着信があった場合に、通信部６ｂ−１による近距離無線通信を介して、携帯電話２０Ｂに着信を通知するか、あるいは、通信部６ｂ−２による近距離無線通信を介して、携帯電話２０Ｃに着信を通知するかを選択する。携帯電話２０Ａは、携帯電話２０Ｂ及び携帯電話２０Ｃのどちらに先に着信を通知するかを予め設定してもよいし、交互に着信の通知先を変更してもよい。携帯電話２０Ａが異なる経路で公共回線ネットワークに接続できる場合に、携帯電話２０Ａは、着信があったときに、携帯電話２０Ｂ又は携帯電話２０Ｃのどちらか一方に対して、既に別の着信を通知して通話をしているときには、まだ着信を通知していない携帯電話に対して着信を通知する。
【０１３２】
図１９に示す場合では、携帯電話２０Ａにより携帯電話３０ｂからの着信が携帯電話２０Ｃに通知される。そして、携帯電話２０Ａに対する着信に対して、携帯電話２０Ｃのオフフック操作により応答した場合、携帯電話３０ｂと携帯電話２０Ａとの間でやり取りされる音声データＤ５は、携帯電話２０Ａから携帯電話２０Ｃに中継（転送）される。
【０１３３】
図２０に示す場面では、図１８に示す場面と異なり、携帯電話２０Ａは、子機モードで、通信部６ｂ−１を携帯電話２０Ｂに無線接続させる。
【０１３４】
そして、携帯電話２０Ｂは、着信があった場合に、通信部６ｂによる近距離無線通信を介して、着信を携帯電話２０Ａに通知する。一方で、携帯電話２０Ｃは、着信があった場合に、通信部６ｂによる近距離無線通信を介して、着信を携帯電話２０Ａに通知する。携帯電話２０Ａは、携帯電話２０Ｂからの着信通知と、携帯電話２０Ｃからの着信通知とを同じタイミングで受けた場合には、どちらの着信通知を優先して報知してもよいし、双方の着信通知を報知して利用者に選択させてもよい。携帯電話２０Ａは、携帯電話２０Ｂ又は携帯電話２０Ｃから通知された着信を受けたときに、既に別の着信を受けている場合には、携帯電話２０Ｂ又は携帯電話２０Ｃから通知された着信を受け付けないようにしてもよい。あるいは、携帯電話２０Ａは、既に別の着信を受けている場合であっても、携帯電話２０Ｂ又は携帯電話２０Ｃの着信を一旦受けて、留守番電話サービスセンターへの転送指示、または伝言メッセージの受付指示を、携帯電話２０Ｂ又は携帯電話２０Ｃに対して送信してもよい。
【０１３５】
図２０に示す場面では、携帯電話２０Ｂにより携帯電話３０ａからの着信が携帯電話２０Ａに通知される。そして、携帯電話２０Ｂに対する着信に対して、携帯電話２０Ａのオフフック操作により応答した場合、携帯電話３０ａと携帯電話２０Ｂとの間でやり取りされる音声データＤ６は、携帯電話２０Ｂから携帯電話２０Ａに中継（転送）される。携帯電話２０Ｃにより携帯電話３０ｂからの着信が携帯電話２０Ａに通知される。そして、携帯電話２０Ｃに対する着信に対して、携帯電話２０Ａのオフフック操作により応答した場合、携帯電話３０ｂと携帯電話２０Ｃとの間でやり取りされる音声データＤ７は、携帯電話２０Ｃから携帯電話２０Ａに中継（転送）される。
【０１３６】
図２１は、その他の実施形態に係る携帯電話２０Ａの機能的な構成の例を示すブロック図である。図２１に示す携帯電話２０Ａの機能的な構成は、以下に説明する点が、上記実施形態とは異なる。
【０１３７】
図２１に示すように、携帯電話２０Ａは、通信部６ｂ−１及び６ｂ−２を有する。
【０１３８】
通信部６ｂ−１及び６ｂ−２は、近距離無線通信を用いて通信を行う通信部である。通信部６ｂ−１及び６ｂ−２は、他の電子機器に無線接続するか、又は無線接続される接続部でもある。近距離無線通信方式には、Ｂｌｕｅｔｏｏｔｈ（登録商標）、無線ＬＡＮ（ＩＥＥＥ８０２．１１）、ＺｉｇＢｅｅ（登録商標）、赤外線通信、可視光通信、ＮＦＣ（Ｎｅａｒ  Ｆｉｅｌｄ  Ｃｏｍｍｕｎｉｃａｔｉｏｎ）等が含まれる。
【０１３９】
図２２〜図２４は、その他の実施形態に係る携帯電話２０Ａにおける他の電子機器との接続に関する情報の例を示す図である。
【０１４０】
図２２は、図１８に対応する携帯電話２０Ａにおける接続関連データ９Ｂの例を示す。図２２に示すように、接続関連データ９Ｂには、携帯電話２０Ｂ及び携帯電話２０Ｃとの接続に関する情報が含まれる。図２２に示す接続関連データ９Ｂには、携帯電話２０Ｂとの接続に関する情報として、自機モードの情報“親”、接続相手である携帯電話２０Ｂを特定するための登録機器の情報“２０Ｂ（００：１１：２２：ＡＡ：ＢＢ：ＣＣ）”と、接続相手である携帯電話２０Ｂの種別を特定するための情報“ＴＰ１”、携帯電話２０Ｂとの接続状態を特定するためのステータスの情報“接続中”が含まれる。さらに、図２２に示す接続関連データ９Ｂには、携帯電話２０Ｃとの接続に関する情報として、自機モードの情報“子”、接続相手である携帯電話２０Ｃを特定するための登録機器の情報“２０Ｃ（０１：１２：２３：ＡＢ：ＢＣ：ＣＤ）”と、接続相手である携帯電話２０Ｃの種別を特定するための情報“ＴＰ１”、携帯電話２０Ｃとの接続状態を特定するためのステータスの情報“接続中”が含まれる。
【０１４１】
制御部１０は、図２２に示す接続関連データ９Ｂに基づいて、図１８に示す場面における着信の通知及び着信に対する応答を制御する。
【０１４２】
図２３は、図１９に対応する携帯電話２０Ａにおける接続関連データ９Ｂの例を示す。図２３に示すように、接続関連データ９Ｂには、携帯電話２０Ｂ及び携帯電話２０Ｃとの接続に関する情報が含まれる。図２３に示す接続関連データ９Ｂには、携帯電話２０Ｂとの接続に関する情報として、自機モードの情報“親”、接続相手である携帯電話２０Ｂを特定するための登録機器の情報“２０Ｂ（００：１１：２２：ＡＡ：ＢＢ：ＣＣ）”と、接続相手である携帯電話２０Ｂの種別を特定するための情報“ＴＰ１”、携帯電話２０Ｂとの接続状態を特定するためのステータスの情報“接続中”が含まれる。さらに、図２３に示す接続関連データ９Ｂには、携帯電話２０Ｃとの接続に関する情報として、自機モードの情報“親”、接続相手である携帯電話２０Ｃを特定するための登録機器の情報“２０Ｃ（０１：１２：２３：ＡＢ：ＢＣ：ＣＤ）”と、接続相手である携帯電話２０Ｃの種別を特定するための情報“ＴＰ１”、携帯電話２０Ｃとの接続状態を特定するためのステータスの情報“接続中”が含まれる。
【０１４３】
制御部１０は、図２３に示す接続関連データ９Ｂに基づいて、図１９に示す場面における着信の通知及び着信に対する応答を制御する。
【０１４４】
図２４は、図２０に対応する携帯電話２０Ａにおける接続関連データ９Ｂの例を示す。図２４に示すように、接続関連データ９Ｂには、携帯電話２０Ｂ及び携帯電話２０Ｃとの接続に関する情報が含まれる。図２４に示す接続関連データ９Ｂには、携帯電話２０Ｂとの接続に関する情報として、自機モードの情報“子”、接続相手である携帯電話２０Ｂを特定するための登録機器の情報“２０Ｂ（００：１１：２２：ＡＡ：ＢＢ：ＣＣ）”と、接続相手である携帯電話２０Ｂの種別を特定するための情報“ＴＰ１”、携帯電話２０Ｂとの接続状態を特定するためのステータスの情報“接続中”が含まれる。さらに、図２４に示す接続関連データ９Ｂには、携帯電話２０Ｃとの接続に関する情報として、自機モードの情報“子”、接続相手である携帯電話２０Ｃを特定するための登録機器の情報“２０Ｃ（０１：１２：２３：ＡＢ：ＢＣ：ＣＤ）”と、接続相手である携帯電話２０Ｃの種別を特定するための情報“ＴＰ１”、携帯電話２０Ｃとの接続状態を特定するためのステータスの情報“接続中”が含まれる。
【０１４５】
制御部１０は、図２４に示す接続関連データ９Ｂに基づいて、図２０に示す場面における着信の通知及び着信に対する応答を制御する。
【０１４６】
上記の実施形態では、例えば、Ｂｌｕｅｔｏｏｔｈ（登録商標）の機能を利用して、携帯電話２０Ａと携帯電話２０Ｂとの無線接続を確立して着信の通知などを実行するときの各種制御について説明したが、これに限定されるものではない。例えば、Ｂｌｕｅｔｏｏｔｈの代わりに、無線ＬＡＮ（ＩＥＥＥ８０２．１１）などを利用して、携帯電話２０Ａと携帯電話２０Ｂとの無線接続を確立する場合にも、上記の実施形態と同様の制御を適用することができる。
【０１４７】
その他の実施形態において、携帯電話２０Ａと、携帯電話２０Ｂ及び携帯電話２０Ｃとの間の無線接続の関係は、変更することができる。
【０１４８】
例えば、図５、図２１などに示した制御プログラム９Ａは、複数のプログラムモジュールに分割されていてもよい。あるいは、図５、図２１などに示した制御プログラム９Ａは、他のプログラムと結合されていてもよい。
【０１４９】
上記の実施形態では、添付の請求項に係る電子機器の例として、携帯電話について説明したが、添付の請求項に係る電子機器は、携帯電話に限定されない。添付の請求項に係る電子機器は、着信を通知可能な機器であれば、携帯電話以外の電子機器であってもよい。添付の請求項に係る電子機器は、例えば、スマートフォン、ＰＨＳ、据え置き型の電話機、ファクシミリ、モデムが搭載されたパソコンである。
【０１５０】
添付の請求項に係る技術を完全かつ明瞭に開示するために特徴的な実施形態に関し記載してきた。しかし、添付の請求項は、上記実施形態に限定されるべきものでなく、本明細書に示した基礎的事項の範囲内で当該技術分野の当業者が創作しうるすべての変形例及び代替可能な構成により具現化されるべきである。
【符号の説明】
【０１５１】
２  表示部
３  操作部
６ａ  通信部
６ｂ、６ｂ−１、６ｂ−２  通信部
７  レシーバ
８  マイク
９  記憶部
９Ａ  制御プログラム
９Ｂ  接続関連データ
９Ｃ  プロファイル
９Ｄ  アドレス帳データ
１０  制御部
１１  スピーカ
１３  発光部
１５  振動部
２０Ａ  携帯電話
２０Ｂ  携帯電話
３０  携帯電話
３０ａ  携帯電話
３０ｂ  携帯電話
９０、１００  公衆回線ネットワーク
９１ａ、９１ｂ、１０１ａ、１０１ｂ  基地局
【図１】
2014086975.tif 000003
【図２】
2014086975.tif 000004
【図３】
2014086975.tif 000005
【図４】
2014086975.tif 000006
【図５】
2014086975.tif 000007
【図６】
2014086975.tif 000008
【図７】
2014086975.tif 000009
【図８】
2014086975.tif 000010
【図９】
2014086975.tif 000011
【図１０】
2014086975.tif 000012
【図１１】
2014086975.tif 000013
【図１２】
2014086975.tif 000014
【図１３】
2014086975.tif 000015
【図１４】
2014086975.tif 000016
【図１５】
2014086975.tif 000017
【図１６】
2014086975.tif 000018
【図１７】
2014086975.tif 000019
【図１８】
2014086975.tif 000020
【図１９】
2014086975.tif 000021
【図２０】
2014086975.tif 000022
【図２１】
2014086975.tif 000023
【図２２】
2014086975.tif 000024
【図２３】
2014086975.tif 000025
【図２４】
2014086975.tif 000026